(57)【要約】【課題】  音像が常に最適に位置するように、音声信号に音像位置補正処理を施す。【解決手段】  音声信号を音響出力に変換する３つ以上のスピーカーを備えるマルチチャンネル音響再生システムにおいて、駆動機構８５により移動されたスピーカユニット１３の位置を検出する上部ストップセンサ２９と下部ストップセンサ３０により検出し、スピーカーの位置に応じて、ＤＳＰ１８により各スピーカーに供給する音声信号に音像位置補正処理を施す。【選択図】  図５
2007006280.tif 000002
【特許請求の範囲】
【請求項１】
音声信号を音響出力に変換する３つ以上のスピーカーを備えるマルチチャンネル音響再生システムであって、
複数のスピーカーの位置を移動させるスピーカー移動手段と、
上記スピーカー移動手段により移動されたスピーカーの位置を検出する位置検出手段と、
上記位置検出手段により検出されたスピーカーの位置に応じて、各スピーカーに供給する音声信号に音像位置補正処理を施す音像位置補正処理手段と
を備えることを特徴とするマルチチャンネル音響再生システム。
【請求項２】
上記音像位置補正処理手段は、フロント左チャンネルとフロント右チャンネルの音声信号のみに音像位置補正処理を施すことを特徴とする請求項１記載のマルチチャンネル音響再生システム。
【発明の詳細な説明】
【技術分野】
【０００１】
本発明は、音声信号を音響出力に変換する３つ以上のスピーカーを備えるマルチチャンネル音響再生システムに関する。
【背景技術】
【０００２】
従来、３チャンネル以上の独立した音声チャンネルを持つマルチチャンネルを再生可能なメディアとして、スーパーオーディオコンパクトディスク（SACD：Super Audio Compact Disc)やデジタルバーサタイルディスク又はデジタルビデオディスク（DVD:Digtal Versatile Disc or Digital Video Disc）等が規格化されている。
【０００３】
例えば、映画館で臨場感のある音響効果を再現するために開発された５．１ｃｈサラウンド方式では、聴取者の正面、右前方、左前方、右後方、左後方、低音出力用サブウーファースピーカー(通常は正面に配置)の６つのスピーカーを使って、立体的で臨場感のある音響環境を再現することができる。
【０００４】
例えば、聴取者の正面、右前方、左前方、右後方、左後方、低音出力用サブウーファースピーカー(通常は正面に配置)の６つのスピーカーを使って、立体的で臨場感のある音響環境を再現する５．１ｃｈサラウンド方式が知られている。なお、サブウーファースピーカーは出力できる音域が限られているため、０．１ｃｈとカウントされている。
【０００５】
５．１ｃｈサラウンド方式は、近年ではＤＶＤ−Ｖｉｄｅｏやデジタル放送などにも応用されている。
【０００６】
また、実スピーカーだけのシステムでは、通常、水平面内に置かれた各スピーカーから初期反射音及び残響音を生成するので、上方からの反射音は表現できないが、ＤＳＰ（デジタルシグナルプロセッサ）による３次元（３Ｄ）処理によって、あたかも実際のスピーカー位置とは異なる位置から再生音が出力されているような効果を創出することができ、複数の音源の仮想定位や、音像の位置を仮想的にシフトして、聴取者の前方の任意の位置に音像を制御することができる（例えば、特許文献１、２参照）。
【０００７】
また、テレビジョン受像機等のディスプレイユニットは、液晶ディスプレイ等を備えることによって薄型化、大画面化が図られおり、一般に室内の最も目立つ場所に設置され、重要な室内調度品としても位置付けられている。また、ディスプレイユニットは、各種の記録媒体に記録された映像情報等を大型画面で再生表示する機能等の各種機能を搭載した複合機能化も図られている。
【０００８】
一方、オーディオユニットにおいても、従来の音響信号の再生機能ばかりでなく、例えばディスプレイユニットと接続されて大型画面に表示される映像に合わせて音響信号を大迫力で再生するといった機能等を有するようになっている。したがって、ディスプレイユニットにおいては、オーディオユニットを一体化したいわゆる複合装置としてのオーディオ・ディスプレイ装置の要求も大きくなっている。
【０００９】
【特許文献１】特開２００１−１６６９８号公報
【特許文献２】特開２００４−１３５０２３号公報
【発明の開示】
【発明が解決しようとする課題】
【００１０】
ところで、ディスプレイユニットにおいては、上述したように室内の最も目立つ場所に設置されるが、映像表示が行われていない状態で表示面が無味乾燥な黒っぽい画面の状態となるために室内の雰囲気を損なわせるといった問題がある。ディスプレイユニットにおいては、大型画面化が図られるに伴ってかかる問題が一層顕著になる。
【００１１】
オーディオ・ディスプレイ装置においては、ディスプレイによる大型画面に表示される映像とオーディオユニットによる臨場感あふれる音響出力とによってテレビジョン放送番組や記録媒体の記録情報を視聴することが可能である。オーディオ・ディスプレイ装置においては、一般にディスプレイを視線上の高さ位置に設置するとともに、スピーカーをディスプレイの両側に設置して良好な音場が構成されるようにする。
【００１２】
しかしながら、オーディオ・ディスプレイ装置においては、例えばオーディオ機能により音楽のみを聴取する場合において、視線上の前方に存在するディスプレイの無味乾燥な大型画面がせっかくの雰囲気を損なわせるといった問題がある。また、オーディオ・ディスプレイ装置においては、ディスプレイの大型化に伴ってその両側にスピーカーを設置した構造から全体の幅寸法が大きくなってしまうといった問題がある。オーディオ・ディスプレイ装置においては、全体をある程度の大きさに押さえて構成しようとする場合に、大型画面化やスピーカー能力の抑制を図る必要がある。
【００１３】
また、ホームシアターなどのマルチチャンネル音響再生システムでは、設置上の問題により、映像表示装置がスピーカーの位置よりも低くなる場合がある。この場合、映像表示装置の表示画面から音響出力による音像の位置がずれてしまうと、不自然な再生状態になってしまう。したがって、スピーカーの位置に影響されることなく、音像が常に最適に位置するように、音声信号に音像位置補正処理を施す必要がある。
【００１４】
そこで、本発明の目的は、上述の如き従来の問題点に鑑み、音声信号を音響出力に変換する３つ以上のスピーカーを備えるマルチチャンネル音響再生システムにおいて、スピーカーの位置に影響されることなく、音像が常に最適に位置するように、音声信号に音像位置補正処理を施す。
【００１５】
本発明の更に他の目的、本発明によって得られる具体的な利点は、以下に説明される実施の形態の説明から一層明らかにされる。
【課題を解決するための手段】
【００１６】
本発明は、音声信号を音響出力に変換する３つ以上のスピーカーを備えるマルチチャンネル音響再生システムであって、複数のスピーカーの位置を移動させるスピーカー移動手段と、上記スピーカー移動手段により移動されたスピーカーの位置を検出する位置検出手段と、上記位置検出手段により検出されたスピーカーの位置に応じて、各スピーカーに供給する音声信号に音像位置補正処理を施す音像位置補正処理手段とを備えることを特徴とする。
【００１７】
このマルチチャンネル音響再生システムにおいて、上記音像位置補正処理手段は、例えば、フロント左チャンネルとフロント右チャンネルの音声信号のみに音像位置補正処理を施す。
【発明の効果】
【００１８】
本発明では、音声信号を音響出力に変換する３つ以上のスピーカーを備えるマルチチャンネル音響再生システムにおいて、スピーカー移動手段により移動されたスピーカーの位置を検出する位置検出手段により検出し、スピーカーの位置に応じて、音像位置補正処理手段により各スピーカーに供給する音声信号に音像位置補正処理を施すことによって、音像が常に最適に位置するように、音声信号に音像位置補正処理を施すことができる。
【発明を実施するための最良の形態】
【００１９】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００２０】
本発明は、例えば図１に示すような構成のオーディオ・ディスプレイ装置１に適用される。
【００２１】
このオーディオ・ディスプレイ装置１は、図１及び図２に示すように、互いに独立ユニット体として構成されたオーディオユニット体２とディスプレイユニット体３とを備える。オーディオ・ディスプレイ装置１は、ベース４にラック体６を一体化したスタンド部５を立設するとともに、ラック体６にキャリア体７を移動自在に組み合わせて構成し、据え置き型として居間等の室内に設置される。
【００２２】
オーディオ・ディスプレイ装置１は、ラック体６に対してディスプレイユニット体３を所定の高さ位置で固定した状態で搭載するとともに、キャリア体７に対してオーディオユニット体２を固定した状態で搭載する。オーディオ・ディスプレイ装置１は、キャリア体７が昇降機構８によってラック体６に対して昇降動作されるようにし、このキャリア体７に搭載したオーディオユニット体２がディスプレイユニット体３の前面部を昇降移動されるように構成される。
【００２３】
オーディオ・ディスプレイ装置１は、独立ユニット体として構成したオーディオユニット体２とディスプレイユニット体３とを、それぞれキャリア体７とラック体６とに独立して搭載する。したがって、オーディオ・ディスプレイ装置１は、例えば工程を全く異にするオーディオユニット体２とディスプレイユニット体３とをそれぞれオーディオ工程とディスプレイ工程で組み立てることが可能であり、組立工程の合理化や信頼性の向上或いはコスト低減が図られる。
【００２４】
また、オーディオ・ディスプレイ装置１は、オーディオユニット体２とディスプレイユニット体３のいずれか一方に保守の必要性が生じた場合に、当該ユニット体のみをキャリア体７或いはラック体６から取り外してその対応が可能であり、保守対応の合理化が図られる。なお、オーディオ・ディスプレイ装置１は、組立状態でオーディオユニット体２とディスプレイユニット体３とがケーブル等を介して適宜に電気的接続される。
【００２５】
オーディオ・ディスプレイ装置１は、オーディオユニット体２が下降された状態で、図１及び図５に示すようにディスプレイユニット体３を露出させる第１位置に設定される。オーディオ・ディスプレイ装置１は、オーディオユニット体２が上昇された状態で、図２に示すように前面部においてディスプレイユニット体３を覆い隠す第２位置に設定される。オーディオ・ディスプレイ装置１は、後述する各機能モードにおいてオーディオユニット体２が第１位置と第２位置とに切換移動される。
【００２６】
オーディオ・ディスプレイ装置１は、電源のオンオフ操作、オーディオモードとディスプレイモード或いは記録媒体モードの切替操作、音量調整、チャンネル切替操作等の一般的なオーディオ装置の操作やテレビジョン受像機の操作がリモートコントローラ９によって行われる。なお、オーディオ・ディスプレイ装置１は、図示しないがオーディオユニット体２やディスプレイユニット体３にも個別に適宜の操作スイッチ群が設けられている。オーディオ・ディスプレイ装置１においては、オーディオユニット体２がリモートコントローラ９からのリモートコントロール信号によって昇降動作されるとともに、後述するセンサ等からの制御信号によって自動的に昇降動作される。
【００２７】
オーディオ・ディスプレイ装置１は、オーディオユニット体２によって受信したラジオ放送の音楽等や記録媒体８４に記録された音楽情報等を再生して聴取する。また、オーディオ・ディスプレイ装置１は、ディスプレイユニット体３によって受信したテレビジョン放送の映像や記録媒体８４に記録された映像情報等を再生して表示する。なお、オーディオ・ディスプレイ装置１は、その際にオーディオユニット体２から音響信号の出力が行われる。
【００２８】
オーディオユニット体２は、図１及び図２に示すように、全体が横長矩形の薄箱状を呈しており、ディスプレイユニット体３の前面部に移動されて状態でその前面を覆い隠すに足る外形寸法を以って形成される。オーディオユニット体２には、主面中央の上方位置に表示部１０とリモートコントロール信号の受光部１１とが設けられている。オーディオユニット体２は、詳細を省略するが表示部１０において時刻やカレンダー等の表示を行うとともに、電源状態や機能モードの設定状態、音量等の適宜の表示が行われるようにする。オーディオユニット体２は、受光部１１によってリモートコントローラ９から発信されたリモートコントロール信号を受信する。
【００２９】
オーディオユニット体２には、筐体の上部に記録媒体８４を装填するスロット１２が設けられている。なお、オーディオユニット体２は、１個のスロット１２が図示されているが、外形寸法仕様を異にする複数種の記録媒体８４を装填して使用する場合には、それぞれに適合した複数個のスロット１２を設けるようにしてもよく、また筐体の側面部に設けるようにしてもよい。
【００３０】
オーディオユニット体２には、筐体の内部に長さ方向の両側に位置して一対のリヤスピーカ１３ＲＲ，１３ＲＬ及び一対のフロントスピーカ１３ＦＲ，１３ＦＬとセンタースピーカ１３Ｓ（以下、個別に説明する場合を除いてスピーカユニット１３と総称する。）が内蔵されている。オーディオユニット体２には、図３に示すように、筐体の内部にスロット１２から装填された記録媒体８４を駆動して記録された音響情報や映像情報等の記録情報を再生する記録媒体再生部を構成するプレーヤ１４やドライバ１５が内蔵されている。オーディオユニット体２には、ラジオ放送等を受信するためのチューナ１６が内蔵される。
【００３１】
オーディオユニット体２には、ドライバ１５やチューナ１６或いはディスプレイユニット３から入力される音響信号を選択するとともに所定の信号処理を施す音響信号処理部を構成する入力セレクタ／デコーダ（ＤＩＲ）１７や、第１位置と第２位置とに切換移動された状態で音像位置を上下方向に調整してスピーカー１３から最適な状態で出力が行われるようにするデジタルシグナルプロセッサ（ＤＳＰ）１８或いはこのＤＳＰ１８から出力された音響信号を所定のレベルで各スピーカー１３に対して供給する等の機能を奏するマルチチャンネル増幅器１９等が内蔵されている。
【００３２】
オーディオユニット体２は、上述したように昇降機構８によりディスプレイユニット３に対して昇降動作されるが、途中で異物７１等を挟み込んでしまった場合に各部を破損させてしまう虞がある。したがって、オーディオユニット体２には、異物７１の挟み込み等を検出するために、筐体の上部に上部センサ２０が設けられるとともに筐体の底部に下部センサ２１が設けられている。オーディオユニット体２は、これら上部センサ２０或いは下部センサ２１が異物７１の挟み込み等を検出すると、昇降動作が直ちに停止されるようにする。
【００３３】
オーディオユニット体２には、詳細を省略するが筐体の前面に設けられた適宜の保持構造によって、前面パネル２Ａを着脱することが可能である。前面パネル２Ａは、例えばスピーカー１３の放音特性を損なうことなくかつ内部を目隠しする薄厚で軽量なサランネット等によって形成される。また、前面パネル２Ａは、室内の雰囲気に合わせた適宜の色調や模様或いは図形等を設けるようにしてもよい。オーディオユニット体２は、第２位置に設定されてディスプレイユニット３の前面を覆い隠すことによって、前面パネル２Ａにより独自の雰囲気を醸し出すことを可能とする。
【００３４】
ディスプレイユニット体３は、詳細を省略するが、一般的なテレビジョン受像機とほぼ同等の機能を有するとともに、オーディオユニット体２との接続機能が付加されて構成される。ディスプレイユニット体３には、ディスプレイとして薄型で数十インチの大型画面を有する液晶ディスプレイ２２が備えられる。ディスプレイユニット体３には、図３に示すようにオーディオユニット体２のドライバ１５から出力された再生情報を選別するセレクタ２３が内蔵されている。ディスプレイユニット体３には、テレビジョン放送を受信するチューナ２４が内蔵されており、受信した放送番組の情報がセレクタ２３へと出力される。ディスプレイユニット体３は、セレクタ２３によって選別された映像情報が液晶ディスプレイ２２に供給されて表示画面に映像の表示が行われるとともに、音響信号がオーディオユニット体２側の入力セレクタ／デコーダ１７へと出力される。
【００３５】
ディスプレイユニット体３には、図示しないその他の制御回路部や機能回路部等の全体の動作制御を行うために、マイクロコンピュータ２５が搭載される。ディスプレイユニット体３においては、マイクロコンピュータ２５に対して図示しない操作部に設けられた各種の操作スイッチからの制御信号やリモートコントローラ９から発信されたリモートコントロール信号が入力されて、このマイクロコンピュータ２５において所定の制御処理が行われて各部に制御信号が出力される。
【００３６】
液晶ディスプレイ２２は、周知のように電源が投入されていない状態で表示面が無味乾燥な黒っぽい画面の状態となるために、大型画面であるほど室内の雰囲気を損なわせる。オーディオ・ディスプレイ装置１においては、上述したようにオーディオユニット体２がディスプレイユニット体３の前方位置に上昇して第２位置に設定されることによって液晶ディスプレイ２２の表示面を覆い隠すことで、液晶ディスプレイ２２の表示画面の雰囲気からオーディオユニット体２の前面パネル２Ａによる独自の雰囲気が醸し出されるようになる。
【００３７】
ところで、ディスプレイユニット体３は、電源が投入されて液晶ディスプレイ２２に映像表示が行われている状態で、電源回路部等から熱が発生する。一方、液晶ディスプレイ２２は、周知のように表示画面から熱が加えられることによって液晶に影響が生じ、映像に歪みを発生させることがある。オーディオ・ディスプレイ装置１においては、液晶ディスプレイ２２に映像表示が行われている状態のままで表示面をオーディオユニット体２によって覆い隠すことにより、発生熱がオーディオユニット体２とディスプレイユニット体３との間に籠もって高温状態となることがある。オーディオ・ディスプレイ装置１においては、この熱の影響によって液晶ディスプレイ２２の表示品質が劣化する虞が生じる。したがって、オーディオ・ディスプレイ装置１においては、液晶ディスプレイ２２が映像を表示する機能モードに設定されている状態では、オーディオユニット体２が第１位置に保持されるように構成される。
【００３８】
オーディオ・ディスプレイ装置１においては、ラック体６が、比較的重量の大きなディスプレイユニット体３を支持するとともにキャリア体７を介してオーディオユニット体２を支持することから、充分な機械的強度を有する構造体として構成されてベース４に立設されてスタンド部５内を導かれる。オーディオ・ディスプレイ装置１においては、オーディオユニット体２とディスプレイユニット体３との間のいわゆるデッドスペースにスタンド部５が配置され、外観を損なわない範囲で内部に比較的大きな空間部を構成することが可能である。
【００３９】
オーディオ・ディスプレイ装置１においては、スタンド部５を利用してオーディオユニット体２やディスプレイユニット体３への配線を行うとともに、制御回路部や電源回路部或いは昇降機構８等が設けられる。スタンド部５には、図３に示すように全体の制御動作を担当するマイクロコンピュータ２６と、リモートコントローラ９から発信され受光部１１によって受信したリモートコントロール信号を処理するリモコンマイクロコンピュータ２７が内蔵される。
【００４０】
スタンド部５には、詳細を省略するが手動によって操作されるメイン電源スイッチや音量切換スイッチ或いは各種スイッチを有する操作スイッチ部２８が設けられている。スタンド部５には、オーディオユニット体２を昇降動作させる昇降機構８の動作を制御する上部ストップセンサ２９と下部ストップセンサ３０及び上部減速センサ３１と下部減速センサ３２とが設けられている。スタンド部５には、昇降機構８を構成するモータコントローラ３３と駆動モータ３４とが備えられるとともに、駆動モータ３４の回転状態を検出する回転検出機構３５が付設されている。
【００４１】
スタンド部５には、図４に示すようにそれぞれの放音部を側方側に向けて配置した一対のスーパウーハ３６Ｒ、３６Ｌ（以下、個別に説明する場合を除いてスーパウーハ３６と総称する。）が内蔵されている。スーパウーハ３６は、オーディオユニット体２に内蔵されたスピーカユニット１３すなわちリヤスピーカ１３ＲＲ，１３ＲＬ、フロントスピーカ１３ＦＲ，１３ＦＬ及びセンタースピーカ１３Ｓとともに５．１チャンネル方式のサラウンドスピーカシステムを構築している。スーパウーハ３６は、大型で重量が大きな部材であるが、スタンド部５に内蔵することによってオーディオユニット体２を軽量化するとともにより特性の高い５．１チャンネル方式のサラウンドスピーカシステムが構築される。
【００４２】
オーディオ・ディスプレイ装置１は、図３に示したようにオーディオユニット体２とディスプレイユニット体３及びスタンド部５内に構成各部を内蔵するようにしたが、かかる配置構成に限定されないことは勿論である。
【００４３】
オーディオ・ディスプレイ装置１には、上述したようにスタンド部５の内部に昇降機構８の駆動部を構成する駆動機構８５が配設される。昇降機構８は、駆動機構８５と、キャリア体７を円滑に昇降動作させる複数のガイドコロ機構４８とから構成され、図４に示すように駆動機構８５がスタンド部５の内部に一部を臨ませられて昇降動作するキャリア体７の内部に配置された構造となっている。
【００４４】
オーディオ・ディスプレイ装置１は、駆動機構８５をスタンド部５の内部に設けることによって、独自の外観的印象を与えるようにするとともに異物等の挟み込みも防止されるようになり安全性が図られる。オーディオ・ディスプレイ装置１は、駆動機構８５と詳細をガイドコロ機構４８とによってキャリア体７、換言すればオーディオユニット体２を円滑かつ騒音の発生を低減して昇降動作させることが可能である。
【００４５】
このオーディオ・ディスプレイ装置１において、マイクロコンピュータ２６は、操作スイッチ部２８の操作入力、又は、リモコンマイクロコンピュータ２７により処理されたリモートコントローラ９からのリモートコントロール信号に応じて、モータコントローラ３３に制御命令を与えることにより、昇降機構８の動作を制御して、オーディオユニット体２を昇降させる。また、マイクロコンピュータ２６は、上記昇降機構８を構成する駆動モータ３４の回転状態を検出する回転検出機構３５、上部ストップセンサ２９、下部ストップセンサ３０、上部減速センサ３１及び下部減速センサ３２による各検出出力に基づいて、オーディオユニット体２の昇降位置に応じた制御命令を上記モータコントローラ３３に与えて、昇降機構８の動作を制御する。
【００４６】
また、このオーディオ・ディスプレイ装置１において、ＤＳＰ１８は、入力セレクタ／デコーダ１７を介して入力されるオーディオ信号に対して、オーディオユニット体２の内蔵されているスピーカユニット１３すなわちリヤスピーカ１３ＲＲ，１３ＲＬ、フロントスピーカ１３ＦＲ，１３ＦＬ及びセンタースピーカ１３Ｓと、スタンド部５に内蔵されているスーパウーハ３６で構成される５．１チャンネル方式のサラウンドスピーカシステムに対応する信号処理をＤＳＰ１８により行っている。ここで、オーディオ・ディスプレイ装置１では、リヤスピーカ１３ＲＲ，１３ＲＬは、フロントスピーカ１３ＦＲ，１３ＦＬ及びセンタースピーカ１３Ｓとともに、オーディオユニット体２に内蔵されているので、ＤＳＰ１８は、上記リヤスピーカ１３ＲＲ，１３ＲＬに供給する音声信号には、仮想音源として後方側に定位させる仮想音源生成処理を施す。
【００４７】
さらに、このオーディオ・ディスプレイ装置１では、オーディオユニット体２の昇降位置に応じて、マイクロコンピュータ２６及びＤＳＰ１８により、フロントスピーカ１３ＦＲ，１３ＦＬに供給するフロント左チャンネルとフロント右チャンネルの音声信号のみに音像位置補正処理を施すようになっている。
【００４８】
ここで、音像位置補正処理を施すためのマイクロコンピュータ２６及びＤＳＰ１８の構成を図６に示す。
【００４９】
マイクロコンピュータ２６は、オーディオユニット体２の昇降位置を検出する上部ストップセンサ２９及び下部ストップセンサ３０による検出出力に基づいて、オーディオ・ディスプレイ装置１は、オーディオユニット体２が下降された状態で、ディスプレイユニット体３を露出させる第１位置にある場合と、そうでない場合とを判別して、オーディオユニット体２の昇降位置に応じた音像位置補正用データをＤＳＰ１８に与える。
【００５０】
すなわち、マイクロコンピュータ２６は、ＲＡＭ２６１に書き込まれている位置情報から音像位置補正用データを決める処理プログラムを算術論理演算器（ALU：Arithmetic Logic Unit）２６２により実行し、アドレスジェネレータ２６３により生成される読み出しアドレスにしたがってＲＯＭ２６４から音像位置補正用データを読み出して、入出力インターフェース２６５を介してＤＳＰ１８に与える。
【００５１】
なお、上記ＲＯＭ２６４には、既存の手法にしたがって求めた音像位置補正用データが予め保存されている。ここでは、例えば  空間音響（著者：Jens Blauert，森本政之、後藤敏幸、出版日：1986年、出版元：鹿島出版会） に記載されている基礎検討情報を元に作成した音像位置補正用データを用いたが、特許文献１、２に記載されている手法により求めた音像位置補正用データを用いることも可能である。
【００５２】
また、マイクロコンピュータ２６は、音像位置補正処理の制御命令をＤＳＰ１８に与え、ＤＳＰ１８からデコード情報を取得する。
【００５３】
ＤＳＰ１８は、マイクロコンピュータ２６により与えられた音像位置補正用データに基づいて、入力セレクタ／デコーダ１７を介して入力されるオーディオ信号のうちのフロントスピーカ１３ＦＲ，１３ＦＬに供給するフロント左チャンネルとフロント右チャンネルの音声信号のみに音像位置補正処理を施す。
【００５４】
すなわち、ＤＳＰ１８は、マイクロコンピュータ２６により与えられた音像位置補正用データを入出力インターフェース１８１を介して取得するとＲＡＭ１８２に書き込む。そして、ＲＯＭ１８５に書き込まれている音像位置補正プログラムを算術論理演算器（ALU：Arithmetic Logic Unit）１８３により実行し、アドレスジェネレータ１８４により生成される読み出しアドレスにしたがってＲＡＭ１８２から音像位置補正用データを読み出して、フロント左チャンネルとフロント右チャンネルの音声信号のみに音像位置補正処理を施す。このＤＳＰ１８により実行される音像位置補正プログラムの機能構成を図７に示す。
【００５５】
このオーディオ・ディスプレイ装置１では、オーディオユニット体２が下降された状態で、ディスプレイユニット体３を露出させる第１位置にある場合に、第１位置における上記５．１チャンネル方式のサラウンドスピーカシステムによる音響出力の音像を上記ディスプレイユニット体３の表示画面に対応させて位置させるようにフロント左チャンネルとフロント右チャンネルの仮想音源を定位させる音像位置補正処理を音声信号に施す。
【００５６】
ここで、このオーディオ・ディスプレイ装置１では、上記リヤスピーカ１３ＲＲ，１３ＲＬに供給する音声信号には、仮想音源として後方側に定位させる仮想音源生成処理をＤＳＰ１８により施しているので、上記リヤスピーカ１３ＲＲ，１３ＲＬに供給する音声信号にも上記音像位置補正処理を施してしまうと音像の不自然になってしまうのを虞があり、マイクロコンピュータ２６により与えられた音像位置補正用データに基づいて、入力セレクタ／デコーダ１７を介して入力されるオーディオ信号のうちのフロントスピーカ１３ＦＲ，１３ＦＬに供給するフロント左チャンネルとフロント右チャンネルの音声信号のみに音像位置補正処理を施すようにしている。
【図面の簡単な説明】
【００５７】
【図１】本発明を適用したオーディオ・ディスプレイ装置の斜視図であり、オーディオユニット体が下降して液晶ディスプレイを露出させる第１位置の状態を示す。
【図２】上記オーディオ・ディスプレイ装置の正面図であり、オーディオユニット体が上昇して液晶ディスプレイを覆い隠した第２位置の状態を示す。
【図３】上記オーディオ・ディスプレイ装置の構成ブロック図である。
【図４】上記オーディオ・ディスプレイ装置の平面図である。
【図５】上記オーディオ・ディスプレイ装置におけるオーディオユニット体を第１位置に移動させた状態の側面図である。
【図６】上記オーディオ・ディスプレイ装置において、音像位置補正処理を施すためのマイクロコンピュータ及びＤＳＰの要部構成をブロック図である。
【図７】ＤＳＰにより実行される音像位置補正プログラムの機能構成を示す図である。
【符号の説明】
【００５８】
１  オーディオ・ディスプレイ装置、２  オーディオユニット体、３  ディスプレイユニット体、６  ラック体、７  キャリア体、８  昇降機構、９  リモートコントローラ、１２  スロット、１３ＲＲ，１３ＲＬ  リヤスピーカ、１３ＦＲ，１３ＦＬ  フロントスピーカ、１３Ｓ  センタースピーカ、１４  記録媒体プレーヤ、１６  ラジオチューナ、１７  入力セレクタ／デコーダ、１８  ＤＳＰ、１９  マルチチャンネル増幅器、２０  上部異物検出センサ、２１  下部異物検出センサ、２２  液晶ディスプレイ、２４  テレビチューナ、２６  マイクロコンピュータ、２８  操作スイッチ、２９  上部ストップセンサ，３０  下部ストップセンサ、３１  上部減速センサ、３２  下部減速センサ、３３  モータドライバー、３４  駆動モータ、３６  スーパウーハ、４８  ガイドコロ機構、７１  異物、８４  記録媒体、８５  駆動機構、１８１，２６５  入出力インターフェース、１８２，２６１  ＲＡＭ、１８３，２６２  算術論理演算器、１８４，２６３  アドレスジェネレータ、１８５，２６４  ＲＯＭ
【図１】
2007006280.tif 000003
【図２】
2007006280.tif 000004
【図３】
2007006280.tif 000005
【図４】
2007006280.tif 000006
【図５】
2007006280.tif 000007
【図６】
2007006280.tif 000008
【図７】
2007006280.tif 000009